(57)【特許請求の範囲】
【請求項１】
第１の踏み板の下側に第２の踏み板の端部が重ね合わされ、前記第２の踏み板が押し下げられて駆動する駆動装置の踏板押下規制機構あって、
前記第１の踏み板の幅方向の一側に前記第１の踏み板の幅方向にスライド可能に配置された第１のスライダと、
前記第２の踏み板の幅方向の一側に前記第１のスライダと対向して配置され、前記第２の踏み板の幅方向にスライドする第２のスライダと、
前記第１のスライダ及び前記第２のスライダの配列方向に移動可能な押圧部材と、
前記第２のスライダ側から前記第１の踏み板側に向けて、前記第１の踏み板の長さ方向に前記第１のスライダ上を延びた第１の溝と、
前記第１のスライダ側から前記第２の踏み板と反対側に向けて、前記第２の踏み板の長さ方向に前記第２のスライダ上を延びた第２の溝とを備えることを特徴とする踏板押下規制機構。
【請求項２】
前記第１のスライダを前記第１の踏み板の下側に付勢する付勢手段を備えることを特徴とする請求項１に記載の踏板押下規制機構。
【請求項３】
前記第１のスライダは前記第１の踏み板を移動自在に支持する支持部材を備え、
前記第２のスライダは前記第２の踏み板を移動自在に支持する支持部材を備えることを特徴とする請求項２に記載の踏板押下規制機構。  
【請求項４】
前記第２の踏み板が押し下げられると、前記第１の踏み板側と前記第２の踏み板側とを隔てる扉が開き、前記第２の踏み板の押し下げが解かれると前記扉が閉じる荷重式扉開閉装置であって、
請求項１〜３の何れかに記載の踏板押下規制機構で前記第２の踏み板の押し下げを規制することを特徴とする荷重式扉開閉装置。
【発明の詳細な説明】
【技術分野】
【０００１】
本発明は、第１の踏み板の下側に第２の踏み板の先端が重ね合わされ、第２の踏み板が押し下げられて駆動する駆動装置の踏板押下規制機構に関する。
【背景技術】
【０００２】
従来より化粧室とくに多機能トイレ等の扉には、手動で開閉する引き戸や電動式の自動扉が用いられるのが一般的であった。しかしながら、引き戸では高齢者や身体障害者の円滑な利用を妨げ、自動扉ではセンサーが反応して不必要な開閉をしたり電気回路が必要になる。さらに、自動扉は公共の場所では設置数が多くなって待機電力が多くなり、停電時には扉動作や解錠が困難もしくは不可能となる虞があった。このため、下記の特許文献１では、使用者が踏み板を踏み込む力で扉を開く荷重式扉開閉装置が提案されている。
【先行技術文献】
【特許文献】
【０００３】
【特許文献１】特許第４２５３０３４号公報
【発明の概要】
【発明が解決しようとする課題】
【０００４】
この種の装置は、扉に接して踏み板を室の内外に各々設置する必要があり、室内へ入った直後は踏み板が必ず踏まれた状態であるため扉が閉じず、手動での施錠を行うことが不可能であった。また、扉の施錠時等で踏み板が踏み込まれても駆動しない場合には、使用者の全体重を装置で負担しなければならず、装置に大きな負担がかかって故障の原因となる虞もあった。
【０００５】
本発明は斯かる課題に鑑みてなされたもので、室内側の踏み板が踏み込まれても駆動させず扉を閉じて施錠できるようにするとともに、施錠時は室外側の踏み板を駆動させない場合に、装置に無理な力が働かないようにすることを目的とする。
【課題を解決するための手段】
【０００６】
このような目的を達成するために、本発明の踏板押下規制機構は、第１の踏み板の下側に第２の踏み板の端部が重ね合わされ、前記第２の踏み板が押し下げられて駆動する駆動装置の踏板押下規制機構あって、前記第１の踏み板の幅方向の一側に前記第１の踏み板の幅方向にスライド可能に配置された第１のスライダと、前記第２の踏み板の幅方向の一側に前記第１のスライダと対向して配置され、前記第２の踏み板の幅方向にスライドする第２のスライダと、前記第１のスライダ及び前記第２のスライダの配列方向に移動可能な押圧部材と、前記第２のスライダ側から前記第１の踏み板側に向けて、前記第１の踏み板の長さ方向に前記第１のスライダ上を延びた第１の溝と、前記第１のスライダ側から前記第２の踏み板と反対側に向けて、前記第２の踏み板の長さ方向に前記第２のスライダ上を延びた第２の溝とを備えることを特徴とする。
また、本発明は、前記第１のスライダを前記第１の踏み板の下側に付勢する付勢手段を備えることを特徴とする。
また、本発明は、前記第１のスライダは前記第１の踏み板を移動自在に支持する支持部材を備え、前記第２のスライダは前記第２の踏み板を移動自在に支持する支持部材を備えることを特徴とする。  
また、本発明は、前記第１の溝は、前記第２のスライダ側から前記第１の踏み板側に向けて、前記第１の踏み板の長さ方向に前記第１のスライダ上を延びた溝又は孔で形成され、前記第２の溝は、前記第１のスライダ側から前記第２の踏み板と反対側に向けて、前記第２の踏み板の長さ方向に前記第２のスライダ上を延びた溝又は孔で形成されていることを特徴とする。
また、本発明の荷重式扉開閉装置は、前記第２の踏み板が押し下げられると、前記第１の踏み板側と前記第２の踏み板側とを隔てる扉が開き、前記第２の踏み板の押し下げが解かれると前記扉が閉じる荷重式扉開閉装置であって、請求項１〜４の何れかに記載の踏板押下規制機構で前記第２の踏み板の押し下げを規制することを特徴とする。
【発明の効果】
【０００７】
本発明によれば、第１のスライダで第１の踏み板の押し下げを規制して装置を駆動させないことで、施錠を行うことができる。また第２のスライダで第２の踏み板の押し下げを規制して装置を駆動させないことで、装置に無理な力を働かせずに済む。
【図面の簡単な説明】
【０００８】
【図１】本発明の一実施形態の荷重式扉開閉装置を示す斜視図である。
【図２】図１の荷重式扉開閉装置が備える踏板押下規制機構を示す斜視図である。
【図３】図２の踏板押下規制機構が備えるガイド機構を示す斜視図である。
【図４】図２の踏板押下規制機構の動作を示す斜視図である。
【図５】スライダの変形例を示す図である。
【図６】内スライダの付勢方法の一例を示す図である。
【図７】図１の荷重式扉開閉装置が備える施錠機構の一例を示す図である。
【図８】図１の荷重式扉開閉装置が備える施錠機構の他の例を示す図である。
【発明を実施するための形態】
【０００９】
以下、図面を参照して、本発明の一実施形態を説明する。
図１に示す踏板押下規制機構は、外踏み板１又は内踏み板２が踏み込まれる力を用いて扉８を開き、踏み込みが解かれると扉８を閉じる荷重式扉開閉装置での施錠に用いられる。
この荷重式扉開閉装置では、外踏み板１の押し下げに連動して扉８が開き、この押し下げの解除に連動して扉８が閉じると共に外踏み板１の先端が通常位置に移動する。内踏み板２の先端縁部は、内踏み板２と外踏み板１とが連動するよう、外踏み板１の先端縁部上に配置されている。
【００１０】
踏板押下規制機構は、図２に示すように、外踏み板１の一側に配置される外スライダ４と、内踏み板２の一側に配置される内スライダ５と、扉８の施錠及び解錠に連動して外スライダ４及び内スライダ５をスライドさせる押圧棒３とを備えている。
【００１１】
押圧棒３は、外スライダ４と内スライダ５との間に位置した中立位置から、扉８の施錠時には外スライダ４側に、解錠時には内スライダ５側にそれぞれ先端部を移動させる。外スライダ４及び内スライダ５の配置面には、押圧棒３をガイドするガイド機構が備えられている。ガイド機構は、図３に示すように、押圧棒３の先端が固定されたスライド棒３１と、スライド棒３１を支持する支持体３２とを備えている。スライド棒３１は、両端部を一対の支持体３２で両側から支持されて、外踏み板１及び内踏み板２の配列方向に沿って直線状にスライドする。
【００１２】
図２に示すように、外スライダ４は、押圧棒３の先端部が挿通される溝４１を備えており、図示しない車輪で床面上を外踏み板１の幅方向にスライドする。溝４１は、内スライダ５側を向いた開放端からスライド棒３１のスライド方向に対して外踏み板１と反対側に傾斜し、外踏み板１の長さ方向に直線状に延びている。外スライダ４の規制部４２には、ローラ６が備えられている。
【００１３】
内スライダ５は、押圧棒３の先端部が挿通される溝５１を備えており、図示しない車輪で床面上を内踏み板２の幅方向にスライドする。溝５１は、外スライダ４側を向いた開放端からスライド棒３１のスライド方向に対して内踏み板２側に傾斜し、内踏み板２の長さ方向に直線状に延びている。内スライダ５の規制部５２には、ローラ７が備えられている。内スライダ５は、ばね等の付勢手段で内踏み板２の下側に常時付勢されて、溝５１の開放端をスライド棒３１の上方に位置させ、規制部５２を内踏み板２の下方に位置させている。
【００１４】
次に、荷重式扉開閉装置での踏板押下規制機構の動作を、図４を参照して説明する。
【００１５】
扉８の解錠時には、図４（ａ）に示すように、押圧棒３の先端部が中立位置に位置し、外スライダ４の規制部４２が外踏み板１の下方から退避している。また、内スライダ５は、付勢手段で図４（ａ）の矢印Ａ方向に付勢されて、規制部５２を内踏み板２の下方に位置させ、ローラ７で内踏み板２を支持している。このため、使用者に踏み込まれた外踏み板１は、図４（ａ）に矢印Ｂで示すように押し下げられ、荷重式扉開閉装置で扉８が開かれる。
【００１６】
使用者が扉８から内側に入って外踏み板１の踏み込みが解かれると、荷重式扉開閉装置で扉８が閉じられ、外踏み板１が先端側を元の位置に上昇させる。内踏み板２は、扉８の内側に入った使用者に踏み込まれるが、規制部５２で押し下げが規制される。このため、荷重式扉開閉装置が駆動せず、扉８が閉じた状態を保つ。
【００１７】
使用者が内踏み板２を踏み込んだ状態で扉８を施錠すると、図４（ｂ）に矢印Ｃで示すように、押圧棒３の先端部が中立位置から溝４１内を外スライダ４側に移動する。これにより、図４（ｂ）に矢印Ｄで示すように、外スライダ４が外踏み板１側にスライドして規制部４２が外踏み板１の下方に配置され、図４（ｂ）に示すように、外踏み板１がローラ６で支持される。
【００１８】
この結果、施錠時には外踏み板１が使用者に踏み込まれても、外踏み板１の押し下げが規制されて荷重式扉開閉装置が駆動せず、扉８が閉じた状態を保つ。また、扉８を解錠する使用者が内踏み板２を踏み込んでも、内踏み板２の押し下げが規制されて荷重式扉開閉装置が駆動しない。
【００１９】
扉８の解錠時には、図４（ｃ）に矢印Ｅで示すように、押圧棒３の先端部が溝４１内を中立位置まで内スライダ５側に移動した後、更に中立位置から内スライダ５側に溝５１内を移動する。これに伴い、図４（ｃ）に矢印Ｆで示すように、外スライダ４が外踏み板１と反対側に移動すると共に内スライダ５が内踏み板２と反対側に移動し、図４（ｃ）に示すように、規制部４２が外踏み板１の下側から、規制部５２が内踏み板２の下側からそれぞれ退避する。
【００２０】
外スライダ４及び内スライダ５は、ローラ６，７が回転することで外踏み板１，内踏み板２の下側から容易に引き出される。規制部４２，５２が外踏み板１，内踏み板２の下側から退避することで、使用者に踏み込まれた内踏み板２が、図４（ｃ）に矢印Ｅで示すように外踏み板１と共に押し下げられ、荷重式扉開閉装置で扉８が開かれる。扉８の解錠が済んで外踏み板２の押し下げが解かれると、内スライダ５が付勢手段の付勢で内踏み板２側にスライドして規制部５２を内踏み板２の下方に位置させる。これに伴い、押圧棒３の先端部が、図４（ｃ）に矢印Ｃで示すように、溝５１内を中立位置まで外スライダ４側に移動する。
【００２１】
本実施形態によれば、スライダ４，５で踏み板１，２の押し下げを規制して荷重式扉開閉装置を駆動させないことで、扉８の施錠時等に踏み板１，２が踏み込まれても、荷重式扉開閉装置装置に無理な力を働かせずに済む。
【００２２】
また、本実施形態によれば、扉８の解錠後に内スライダ５の規制部５２を付勢して内踏み板２の下側に進入させ、内踏み板２の押し下げをローラ７で規制できる。このため、扉８を開けた使用者が、内踏み板２を踏み込んだ状態で扉８を閉じて施錠することが可能となる。しかも、荷重式扉開閉装置装置による開扉動作が行われないことから、閉扉に用いる力を小さく抑えることができ、また、開扉動作に逆らって閉扉される場合のように荷重式扉開閉装置装置に無理な力が働くのも抑えられる。
【００２３】
また、本実施形態によれば、外踏み板１，内踏み板２をローラ６，７で支持することで、外踏み板１，内踏み板２の下側から外スライダ４，内スライダ５が退避し易くなることから、内踏み板２を踏み込んだ状態で解錠を行うことが可能となる。
【００２４】
なお、上記実施形態では、内スライダ５を付勢手段で内踏み板２の下側に常時付勢して、規制部５２を内踏み板２の下方に位置させていた場合について説明した。しかしながら、内スライダ５を内踏み板２の下側に付勢しない構成としてもよい。この構成では、扉８の解錠後に内スライダ５で内踏み板２の押し下げが規制されず、内踏み板２を踏み込んだ状態では扉８が閉じないことから、内踏み板２から下りて施錠することとなる。
【００２５】
また、上記実施形態では、外踏み板１，内踏み板２をローラ６，７で支持することで、外踏み板１，内踏み板２の下側から外スライダ４，内スライダ５を退避し易くしていたが、踏み板１，２がローラ６，７を備えない構成としてもよい。この構成では、内踏み板２を踏み込んだ状態では使用者の体重で外スライダ４，内スライダ５を外踏み板１，内踏み板２の下側から容易に退避させられないが、内踏み板２から降りた状態であれば、外踏み板１，内踏み板２の下側から外スライダ４，内スライダ５を容易に退避させて解錠できる。
【００２６】
また、図５に示す内スライダ５のように、ローラ７に代えてベアリング５４を備える構成としてもよい。ベアリング５４は、規制部５２に形成された傾斜面５３に備えられている。また、内スライダ５を内踏み板２の下側に付勢する手段は任意であり、図６に示すように、内スライダ５の配置面９を水平面９１に対し傾斜させて、内スライダ５を付勢してもよい。
【００２７】
また、扉８の施錠及び解錠に合わせて押圧棒３を移動させる施錠機構の構成は任意であり、例えば、図７に示すように構成できる。この施錠機構は、操作パネル１０と、操作パネル１０の操作に応じてスライドするスライダ１３と、スライダ１３と押圧棒３とを連結する連結部材１４とを備えている。連結部材１４は、金属等の剛性部材で構成されている。
【００２８】
この施錠機構では、操作パネル１０の施錠用ボタン１１が押操作されると、図７に示す中立位置から駆動軸１１ａがスライダ１３を扉８側にスライドさせ、扉８の鍵孔８１にスライダ１３の一端を進入させる。これに伴い、連結部材１４が押圧棒３を溝４１の端部に位置するまで外スライダ４側に移動させる。
【００２９】
また、解錠用ボタン１２が押操作されると、駆動軸１２ａがスライダ１３を中立位置の反対側にまでスライドさせる。これに伴い、連結部材１４が押圧棒３を溝５１の端部に位置するまで内スライダ５側に移動させる。この施錠機構では、スライダ１３の一端が鍵孔８１に進入することで、施錠時には手動でも扉８が開けなくなる。
【００３０】
また、図８に示すように、連結部材１４がワイヤー等の線材で構成された施錠機構とすることもできる。この施錠機構でも、施錠用ボタン１１の操作で駆動軸１１ａがスライダ１３をスライドさせると、スライダ１３の一端が鍵孔８１に進入すると共に、連結部材１４が押圧棒３を外スライダ４側に移動させる。また、解錠用ボタン１２の操作で駆動軸１２ａがスライダ１３をスライドさせると、スライダ１３の一端が鍵孔８１から退避すると共に、連結部材１４が押圧棒３を外スライダ５側に移動させる。
【００３１】
また、上記実施形態では、押圧棒３で溝４１，５１を押圧した場合につい説明したが、押圧部材の構成は任意であり、棒状体には限定されない。また、駆動部の構成も孔や溝には限定されない。また、本発明の踏板押下規制機構は、荷重式扉開閉装置以外の装置で踏み板の押し下げを規制するのにも用いることができる。
【符号の説明】
【００３２】
１            外踏み板
２            内踏み板
３            押圧棒
３１          スライド棒
３２          支持体
４            外スライダ
４１          溝
４２          規制部
５            内スライダ
５１          溝
５２          規制部
５３          傾斜面
５４          ベアリング
６            ローラ
７            ローラ
８            扉
８１          鍵孔
９            配置面
９１          水平面
１０          操作パネル
１１          施錠用ボタン
１１ａ        駆動軸
１２          解錠用ボタン
１２ａ        駆動軸
１３          スライダ
１４          連結部材
【図１】
0005732338.tif 000002
【図２】
0005732338.tif 000003
【図３】
0005732338.tif 000004
【図４】
0005732338.tif 000005
【図５】
0005732338.tif 000006
【図６】
0005732338.tif 000007
【図７】
0005732338.tif 000008
【図８】
0005732338.tif 000009